(57)【特許請求の範囲】
【請求項１】
ワイヤレス通信デバイスにおけるデータの受信のためにレイク受信機と干渉消去エンジンとの間で選択する方法であって、
前記干渉消去エンジンに対応する平均ＳＩＮＲがしきい値よりも小さいと判断することと、
前記ワイヤレス通信デバイスのためのアクティブセットのサイズが１セクタに等しいと判断することと、
前記判断に応答して、前記レイク受信機を選択することと、
を備える、方法。
【請求項２】
ワイヤレス通信デバイスにおけるデータの受信のためにレイク受信機と干渉消去エンジンとの間で選択する方法であって、
ダウンリンクチャネルが分散チャネルであると判断することと、
前記干渉消去エンジンに対応する平均ＳＩＮＲが、前記レイク受信機に対応する平均ＳＩＮＲよりも大きいかどうかを判断することと、
前記ワイヤレス通信デバイスのためのアクティブセットのサイズが１セクタに等しいかどうかを判断することと、
前記ＳＩＮＲおよびアクティブセットの判断が両方とも肯定的であった場合は前記干渉消去エンジンを選択し、そうでない場合は前記レイク受信機を選択することと、
を備える、方法。
【請求項３】
ワイヤレス通信デバイスにおけるデータの受信のためにレイク受信機と干渉消去エンジンとの間で選択する方法であって、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きくないと判断し、
前記干渉消去エンジンに対応する平均ＳＩＮＲがしきい値よりも小さいと判断し、
前記アクティブセットおよびＳＩＮＲの判断に応答して、前記レイク受信機を選択することと、
を備える、方法。
【請求項４】
ワイヤレス通信デバイスにおけるデータの受信のためにレイク受信機と干渉消去エンジンとの間で選択する方法であって、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きくないと判断し、
前記干渉消去エンジンに対応する平均ＳＩＮＲがしきい値以上であると判断し、
前記アクティブセットおよびＳＩＮＲの判断に応答して、前記干渉消去エンジンを選択することと、
を備える、方法。
【請求項５】
ワイヤレス通信デバイスにおけるデータの受信のためにレイク受信機と干渉消去エンジンとの間で選択する方法であって、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きいと判断し、
前記干渉消去エンジンに対応する平均ＳＩＮＲがしきい値よりも小さいと判断し、
前記アクティブセットおよびＳＩＮＲの判断に応答して、前記レイク受信機を選択することと、
を備える、方法。
【請求項６】
ワイヤレス通信デバイスにおけるデータの受信のためにレイク受信機と干渉消去エンジンとの間で選択する方法であって、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きいと判断し、
前記干渉消去エンジンに対応する平均ＳＩＮＲがしきい値以上であると判断し、
前記アクティブセットおよびＳＩＮＲの判断に応答して、前記干渉消去エンジンを選択することと、
を備える、方法。
【請求項７】
データを受信する際に使用するワイヤレス通信デバイスであって、
レイク受信機と、
干渉消去エンジンと、
データ受信のために前記レイク受信機と前記干渉消去エンジンとの間で選択するように動作可能に結合されたプロセッサと、
を備え、前記プロセッサは、
前記干渉消去エンジンに対応する平均ＳＩＮＲがしきい値よりも小さいと判断することと、
前記ワイヤレス通信デバイスのためのアクティブセットのサイズが１セクタに等しいと判断することと、
前記判断に応答して、前記レイク受信機を選択ことと、
を行うように構成された、ワイヤレス通信デバイス。
【請求項８】
データを受信する際に使用するワイヤレス通信デバイスであって、
レイク受信機と、
干渉消去エンジンと、
データ受信のために前記レイク受信機と前記干渉消去エンジンとの間で選択するように動作可能に結合されたプロセッサと、
を備え、前記プロセッサは、
ダウンリンクチャネルが分散チャネルであると判断することと、
前記干渉消去エンジンに対応する平均ＳＩＮＲが、前記レイク受信機に対応する平均ＳＩＮＲよりも大きいかどうかを判断することと、
前記ワイヤレス通信デバイスのためのアクティブセットのサイズが１セクタに等しいかどうかを判断することと、
前記ＳＩＮＲおよびアクティブセットの判断が両方とも肯定的であった場合は前記干渉消去エンジンを選択し、そうでない場合は前記レイク受信機を選択することと、
を行うように構成された、ワイヤレス通信デバイス。
【請求項９】
データを受信する際に使用するワイヤレス通信デバイスであって、
レイク受信機と、
干渉消去エンジンと、
データ受信のために前記レイク受信機と前記干渉消去エンジンとの間で選択するように動作可能に結合されたプロセッサと、
を備え、前記プロセッサは、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きくないと判断することと、
前記干渉消去エンジンに対応する平均ＳＩＮＲがしきい値よりも小さいと判断することと、
前記アクティブセットおよびＳＩＮＲの判断に応答して、前記レイク受信機を選択することと、
を行うように構成された、ワイヤレス通信デバイス。
【請求項１０】
データを受信する際に使用するワイヤレス通信デバイスであって、
レイク受信機と、
干渉消去エンジンと、
データ受信のために前記レイク受信機と前記干渉消去エンジンとの間で選択するように動作可能に結合されたプロセッサと、
を備え、前記プロセッサは、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きくないと判断することと、
前記干渉消去エンジンに対応する平均ＳＩＮＲがしきい値以上であると判断することと、
前記アクティブセットおよびＳＩＮＲの判断に応答して、前記干渉消去エンジンを選択することと、
を行うように構成された、ワイヤレス通信デバイス。
【請求項１１】
データを受信する際に使用するワイヤレス通信デバイスであって、
レイク受信機と、
干渉消去エンジンと、
データ受信のために前記レイク受信機と前記干渉消去エンジンとの間で選択するように動作可能に結合されたプロセッサと、
を備え、前記プロセッサは、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きいと判断することと、
前記干渉消去エンジンに対応する平均ＳＩＮＲがしきい値よりも小さいと判断することと、
前記アクティブセットおよびＳＩＮＲの判断に応答して、前記レイク受信機を選択することと、
を行うように構成された、ワイヤレス通信デバイス。
【請求項１２】
データを受信する際に使用するワイヤレス通信デバイスであって、
レイク受信機と、
干渉消去エンジンと、
データ受信のために前記レイク受信機と前記干渉消去エンジンとの間で選択するように動作可能に結合されたプロセッサと、
を備え、前記プロセッサは、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きいと判断することと、
前記干渉消去エンジンに対応する平均ＳＩＮＲがしきい値以上であると判断することと、
前記アクティブセットおよびＳＩＮＲの判断に応答して、前記干渉消去エンジンを選択するように構成された、ワイヤレス通信デバイス。
【請求項１３】
データ受信のためにレイク受信機と干渉消去エンジンとの間で選択するワイヤレス通信デバイスにおいて動作可能なコンピュータ可読記憶媒体であって、
前記干渉消去エンジンに対応する平均ＳＩＮＲがしきい値よりも小さいと判断することと、
前記ワイヤレス通信デバイスのためのアクティブセットのサイズが１セクタに等しいと判断することと、
前記判断に応答して、前記レイク受信機を選択することと、
をコンピュータに行わせるための命令を備える、コンピュータ可読記憶媒体。
【請求項１４】
データ受信のためにレイク受信機と干渉消去エンジンとの間で選択するワイヤレス通信デバイスにおいて動作可能なコンピュータ可読記憶媒体であって、
ダウンリンクチャネルが分散チャネルであると判断することと、
前記干渉消去エンジンに対応する平均ＳＩＮＲが、前記レイク受信機に対応する平均ＳＩＮＲよりも大きいかどうかを判断することと、
前記ワイヤレス通信デバイスのためのアクティブセットのサイズが１セクタに等しいかどうかを判断することと、
前記ＳＩＮＲおよびアクティブセットの判断が両方とも肯定的であった場合は前記干渉消去エンジンを選択し、そうでない場合は前記レイク受信機を選択することと、
をコンピュータに行わせるための命令を備える、コンピュータ可読記憶媒体。
【請求項１５】
データ受信のためにレイク受信機と干渉消去エンジンとの間で選択するワイヤレス通信デバイスにおいて動作可能なコンピュータ可読記憶媒体であって、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きくないと判断することと、
前記干渉消去エンジンに対応する平均ＳＩＮＲがしきい値よりも小さいと判断することと、
前記アクティブセットおよびＳＩＮＲの判断に応答して、前記レイク受信機を選択することと、
をコンピュータに行わせるための命令を備える、コンピュータ可読記憶媒体。
【請求項１６】
データ受信のためにレイク受信機と干渉消去エンジンとの間で選択するワイヤレス通信デバイスにおいて動作可能なコンピュータ可読記憶媒体であって、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きくないと判断することと、
前記干渉消去エンジンに対応する平均ＳＩＮＲがしきい値以上であると判断することと、
前記アクティブセットおよびＳＩＮＲの判断に応答して、前記干渉消去エンジンを選択することと、
をコンピュータに行わせるための命令を備える、コンピュータ可読記憶媒体。
【請求項１７】
データ受信のためにレイク受信機と干渉消去エンジンとの間で選択するワイヤレス通信デバイスにおいて動作可能なコンピュータ可読記憶媒体であって、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きいと判断することと、
前記干渉消去エンジンに対応する平均ＳＩＮＲがしきい値よりも小さいと判断することと、
前記アクティブセットおよびＳＩＮＲの判断に応答して、前記レイク受信機を選択することと、
をコンピュータに行わせるための命令を備える、コンピュータ可読記憶媒体。
【請求項１８】
データ受信のためにレイク受信機と干渉消去エンジンとの間で選択するワイヤレス通信デバイスにおいて動作可能なコンピュータ可読記憶媒体であって、
ダウンリンクチャネルが分散チャネルでないと判断することと、
前記レイク受信機におけるロックされたフィンガーの数が１に等しいかどうかを判断することと、
前記ダウンリンクチャネルがフラットチャネルであることをフラットネスメトリックが示しているかどうかを判断することと、
前記ロックされたフィンガー、またはフラットネスメトリックの判断のどちらかが否定的である場合は前記干渉消去エンジンを選択し、そうでない場合は、
前記ワイヤレス通信デバイスのためのアクティブセットが１セクタよりも大きいと判断することと、
前記干渉消去エンジンに対応する平均ＳＩＮＲがしきい値以上であると判断することと、
前記アクティブセットおよびＳＩＮＲの判断に応答して、前記干渉消去エンジンを選択することと、
をコンピュータに行わせるための命令を備える、コンピュータ可読記憶媒体。
【発明の詳細な説明】
【技術分野】
【０００１】
関連出願の相互参照および優先権の主張
本出願は、以下にその全体が完全に記載されるかのように、およびすべての適用可能な目的のために、その内容全体が参照により本明細書に組み込まれる、２０１１年１０月５日に米国特許商標庁に出願された仮特許出願第６１／５４３，８０１号の優先権および利益を主張する。
【０００２】
本発明の実施形態は、一般にワイヤレス通信に関し、より詳細には、ワイヤレス通信デバイスとともに使用する受信機技術に関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、ワイヤレス通信を可能にするように適応された様々なタイプのアクセス端末によってアクセスされ得、複数のアクセス端末が、利用可能なシステムリソース（たとえば、時間、周波数、および電力）を共有する。
【０００４】
これらのシステムでは、アクセス端末におけるＲＦ性能は、さらなる最適化が継続的に求められる重要な特徴である。したがって、受信機の多くのバリエーションが開発されており、ワイヤレスアクセス端末のための優れたＲＦ性能を提供することができる。
【０００５】
ＲＦ受信機の設計者が直面する多くの問題の１つは干渉である。たとえば、セルラー通信ネットワークなどの多元接続システムでは、ネットワーク中の他のユーザとのワイヤレス通信によって生じる干渉は、受信機の性能を抑止することがある。さらに、マルチパスフェージング(multipath fading)によって、受信機に到着する前にチャネルによって経時的に不鮮明にされ得る所望の信号自体からの干渉は、受信機の性能をさらに抑止することがある。異なるタイプの受信機は異なるタイプの干渉により良く対処することができるので、いくつかのアクセス端末は２つ以上のタイプの受信機を含むことが知られており、または、他の例では、２つ以上の機能ブロックが、それのフロントエンドまたはバックエンドなど、受信機内に含まれ得る。このようにして、受信機の全体的性能を改善するために、ならびに効率的な電力使用を可能にするために、より好適な受信機またはより好適な機能ブロックの選択が行われ得る。
【０００６】
モバイルブロードバンドアクセスに対する需要が増加し続けるにつれて、モバイルブロードバンドアクセスに対する増大する需要を満たすためだけでなく、モバイル通信のユーザエクスペリエンスを進化および向上させるためにも、研究および開発が技術を進化させ続けている。
【発明の概要】
【０００７】
以下で、本開示の１つまたは複数の態様の基本的理解を与えるために、そのような態様の簡略化された概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を簡略化された形で提示することである。
【０００８】
ワイヤレス通信ネットワークにおいて順方向リンク信号を受信するためにレイク受信機と干渉消去エンジン（ＩＣＥ：interference cancellation engine）との間で選択するための装置および方法が開示される。選択は、第１の受信機または第２の受信機のうちの少なくとも１つの平均ＳＩＮＲ(Signal to Interference Noise Ratio：信号対干渉雑音比)、ダウンリンクチャネルの分散(dispersion)、フラットネスメトリック（flatness metric）、第１の受信機または第２の受信機におけるロックされたフィンガー（熊手）の数(a number of locked fingers)、またはアクティブセット（Active Set）のサイズなど、チャネルにおける様々なファクタのうちの１つまたは複数に基づく。
【０００９】
一態様では、本開示は、ワイヤレス通信デバイスにおける第１の受信機と第２の受信機との間で選択する方法を与える。ここで、本方法は、第１の受信機または第２の受信機のうちの少なくとも１つに対応する平均ＳＩＮＲ、ダウンリンクチャネルの分散、フラットネスメトリック、第１の受信機または第２の受信機におけるロックされたフィンガーの数、またはアクティブセットのサイズのうちの１つまたは複数を判断することと、判断に従って第１の受信機または第２の受信機うちの１つを選択することとを含む。
【００１０】
本開示の別の態様は、第１の受信機、第２の受信機、および第１の受信機と第２の受信機とに動作可能に結合されたプロセッサを含む、データを受信する際に使用するワイヤレス通信デバイスを提供する。ここで、プロセッサは、第１の受信機または第２の受信機のうちの少なくとも１つの平均ＳＩＮＲ、ダウンリンクチャネルの分散、フラットネスメトリック、第１の受信機または第２の受信機におけるロックされたフィンガーの数、またはアクティブセットのサイズのうちの１つまたは複数に従って第１の受信機または第２の受信機のうちの１つを選択するように構成される。
【００１１】
本開示の別の態様は、ダウンリンクチャネルを受信するための第１の受信手段および第２の受信手段と、第１の受信手段または第２の受信手段のうちの少なくとも１つに対応する平均ＳＩＮＲ、ダウンリンクチャネルの分散、フラットネスメトリック、第１の受信手段または第２の受信手段におけるロックされたフィンガーの数、またはアクティブセットのサイズのうちの１つまたは複数を判断するための手段と、判断に従って第１の受信手段または第２の受信手段のうちの１つを選択するための手段とを含む、データを受信する際に使用するワイヤレス通信デバイスを提供する。
【００１２】
本開示の別の態様は、第１の受信機または第２の受信機のうちの少なくとも１つに対応する平均ＳＩＮＲ、ダウンリンクチャネルの分散、フラットネスメトリック、または第１の受信機または第２の受信機におけるロックされたフィンガーの数、またはアクティブセットのサイズのうちの１つまたは複数を判断することと、判断に従って第１の受信手段または第２の受信手段のうちの１つを選択することとをコンピュータに行わせるための命令を有する、ワイヤレス通信デバイスにおいて動作可能なコンピュータ可読記憶媒体を含む、コンピュータプログラム製品を提供する。
【００１３】
本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１４】
【図１】本開示の１つまたは複数の態様が適用例を見つけ得るネットワーク環境の例を示すブロック図。
【図２】本発明のいくつかの実施形態による、アクセス端末によって実装され得るプロトコルスタックアーキテクチャの例を示すブロック図。
【図３】本発明のいくつかの実施形態による、アクセス端末の選択構成要素を示すブロック図。
【図４】本発明のいくつかの実施形態による、ワイヤレスアクセス端末における受信機を選択する方法を示すフローチャート。
【図５】本発明のいくつかの実施形態による、ワイヤレスアクセス端末における受信機を選択する方法を示すフローチャート。
【発明を実施するための形態】
【００１５】
添付の図面に関して以下に示す説明は、様々な構成を説明するものであり、本明細書で説明する概念が実施され得る唯一の構成を表すものではない。発明を実施するための形態は、様々な概念を完全に理解するための具体的な説明を含む。ただし、これらの概念はこれらの具体的な詳細なしに実施され得ることが当業者には明らかであろう。いくつかの例では、説明される概念および特徴を不明瞭にしないように、よく知られている回路、構造、技法、および構成要素をブロック図の形式で示す。
【００１６】
本開示全体にわたって提示する様々な概念は、幅広い様々なワイヤレス通信システム、ネットワークアーキテクチャ、および通信規格にわたって実施され得る。説明のいくつかの態様は、ＣＤＭＡおよび第３世代パートナーシッププロジェクト２（３ＧＰＰ２）１ｘプロトコルとシステムとについて以下で説明し、関連の用語は、以下の説明の大部分で見つけ得る。しかしながら、当業者なら、本開示の１つまたは複数の態様が、１つまたは複数の他のワイヤレス通信プロトコルおよびシステムにおいて採用され、含まれ得ることを認識されよう。
【００１７】
図１は、本開示の１つまたは複数の態様が適用例を見つけ得るネットワーク環境の例を示すブロック図である。ワイヤレス通信システム１００は、概して、１つまたは複数の基地局１０２と、１つまたは複数のアクセス端末１０４と、１つまたは複数の基地局コントローラ（ＢＳＣ）１０６と、（たとえば、モバイル交換センター／ビジターロケーションレジスタ（ＭＳＣ／ＶＬＲ）を介して）公衆交換電話網（ＰＳＴＮ）および／または（たとえば、パケットデータ交換ノード（ＰＤＳＮ）を介して）ＩＰネットワークにアクセスするコアネットワーク１０８とを含む。システム１００は、複数のキャリア（異なる周波数の波形信号）上での動作をサポートし得る。マルチキャリア送信機は、複数のキャリア上で同時に被変調信号を送信することができる。各被変調信号は、ＣＤＭＡ信号、ＴＤＭＡ信号、ＯＦＤＭＡ信号、シングルキャリア周波数分割多元接続（ＳＣ−ＦＤＭＡ）信号などであり得る。各被変調信号は、異なるキャリア上で送られ得、制御情報（たとえば、パイロット信号）、オーバーヘッド情報、データなどを搬送し得る。
【００１８】
基地局１０２は、基地局アンテナを介してアクセス端末１０４とワイヤレス通信することができる。基地局１０２はそれぞれ、概して、（１つまたは複数のアクセス端末１０４のための）ワイヤレス通信システム１００へのワイヤレス接続性を可能にするように適応されたデバイスとして実装され得る。基地局１０２は、当業者によって、アクセスポイント、送受信基地局（ＢＴＳ）、無線基地局、無線トランシーバ、トランシーバ機能、基本サービスセット（ＢＳＳ）、拡張サービスセット（ＥＳＳ）、ノードＢ、発展型ノードＢ、フェムトセル、ピコセル、および／または何らかの他の好適な用語で呼ばれることもある。
【００１９】
基地局１０２は、複数のキャリアを介して基地局コントローラ１０６の制御下でアクセス端末１０４と通信するように構成される。基地局１０２の各々は、それぞれの地理的エリアに通信カバレージ(communication coverage)を与えることができる。各基地局１０２のためのカバレージエリア１１０は、ここでは、セル１１０ａ、１１０ｂ、または１１０ｃとして識別される。基地局１０２のためのカバレージエリア１１０は、（図示されていないが、カバレージエリアの一部分のみを構成する）セクタに分割され得る。セクタに分割されたカバレージエリア１１０では、カバレージエリア１１０内の複数のセクタがアンテナのグループによって形成され得、各アンテナは、セルの一部分における１つまたは複数のアクセス端末１０４との通信を担当する。
【００２０】
１つまたは複数のアクセス端末１０４は、カバレージエリア１１０全体にわたって分散させられ得、それぞれの基地局１０２に関連する１つまたは複数のセクタとワイヤレス通信し得る。アクセス端末１０４は、概して、ワイヤレス信号を介して１つまたは複数の他のデバイスと通信する１つまたは複数のデバイスを含み得る。そのようなアクセス端末１０４は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の好適な用語で呼ばれることもある。アクセス端末１０４は、モバイル端末および／または少なくとも実質的に固定された端末を含み得る。アクセス端末１０４の例は、モバイルフォン、ページャ、ワイヤレスモデム、携帯情報端末、個人情報マネージャ（ＰＩＭ）、パーソナルメディアプレーヤ、パームトップコンピュータ、ラップトップコンピュータ、タブレットコンピュータ、テレビジョン、アプライアンス、電子リーダー、デジタルビデオレコーダ（ＤＶＲ）、マシンツーマシン（Ｍ２Ｍ）デバイス、および／または少なくとも部分的にワイヤレスまたはセルラーネットワークを介して通信する他の通信／コンピューティングデバイスを含む。
【００２１】
アクセス端末１０４は、ワイヤレス通信システム１００のアクセス端末１０４と１つまたは複数のネットワークノード（たとえば、基地局１０２）との間でデータを通信するためのプロトコルスタックアーキテクチャを採用するように適応され得る。プロトコルスタックは、概して、レイヤがそれらの数字表示の順に表される通信プロトコルのための階層化アーキテクチャの概念モデルを含み、転送されたデータは、各レイヤによってそれらの表示の順に連続的に処理される。図式的に、「スタック」は一般に垂直方向に示され、レイヤはベースに最も低い数字表示を有す。図２は、アクセス端末１０４によって実装され得るプロトコルスタックアーキテクチャの例を示すブロック図である。図１および図２を参照すると、アクセス端末１０４のためのプロトコルスタックアーキテクチャは、概して、レイヤ１（Ｌ１）と、レイヤ２（Ｌ２）と、レイヤ３（Ｌ３）という３つのレイヤを含むように示されている。
【００２２】
レイヤ１  ２０２は、最下位レイヤであり、様々な物理レイヤ信号処理機能を実装する。レイヤ１  ２０２は、本明細書では２０２物理レイヤとも呼ばれる。この物理レイヤ２０２は、アクセス端末１０４と基地局１０２との間の無線信号の送信および受信に役立つ。
【００２３】
レイヤ２（または「Ｌ２レイヤ」）２０４と呼ばれるデータリンクレイヤは、物理レイヤ２０２の上にあり、レイヤ３によって生成されたシグナリングメッセージの配信を担当する。Ｌ２レイヤ２０４は、物理レイヤ２０２によって与えられるサービスを利用する。Ｌ２レイヤ２０４は、媒体アクセス制御（ＭＡＣ）サブレイヤ２０６とリンクアクセス制御（ラック）サブレイヤ２０８という２つのサブレイヤを含み得る。
【００２４】
ＭＡＣサブレイヤ２０６は、Ｌ２レイヤ２０４の下位サブレイヤである。ＭＡＣサブレイヤ２０６は、媒体アクセスプロトコルを実装し、物理レイヤ２０２によって与えられるサービスを使用する上位レイヤプロトコルデータユニットのトランスポートを担当する。ＭＡＣサブレイヤ２０６は、上位レイヤから共有エアインターフェースまでのデータのアクセスを管理し得る。
【００２５】
ＬＡＣサブレイヤ２０８は、Ｌ２レイヤ２０４の上位サブレイヤである。ＬＡＣサブレイヤ２０８は、レイヤ３において生成されたシグナリングメッセージの正しいトランスポートおよび配信に役立つデータリンクプロトコルを実装する。ＬＡＣサブレイヤは、下位レイヤ（たとえば、レイヤ１およびＭＡＣサブレイヤ）によって与えられるサービスを利用する。
【００２６】
上位レイヤまたはＬ３レイヤと呼ばれることもあるレイヤ３  ２１０は、基地局１０２とアクセス端末１０４との間の通信プロトコルのセマンティクスとタイミングとに従ってシグナリングメッセージを発信し、終了する。Ｌ３レイヤ２１０は、Ｌ２レイヤによって与えられるサービスを利用する。情報（データと音声の両方）メッセージも、Ｌ３レイヤ２１０を通過する。
【００２７】
図３に、本開示の少なくとも１つの例による、アクセス端末１０４の選択構成要素を示すブロック図を示す。アクセス端末１０４は、通信インターフェース３０２と、記憶媒体３０４と、ユーザインターフェースされた３０６とを含む。これらの構成要素は、処理回路３０８に結合され、および／またはそれと電気通信させられ得る。
【００２８】
通信インターフェース３０２は、アクセス端末１０４のワイヤレス通信を可能にするように適応され得る。たとえば、通信インターフェース３０２は、ネットワーク中の１つまたは複数の通信デバイスに関して双方向の情報の通信を可能にするように適用された回路および／またはプログラミングを含み得る。通信インターフェース３０２は、ワイヤレス通信システム内のワイヤレス通信のための１つまたは複数のアンテナ３１０に結合され得る。
【００２９】
通信インターフェース３０２は、１つまたは複数のスタンドアロン受信機および／または送信機、ならびに１つまたは複数のトランシーバで構成され得る。図示の例では、通信インターフェース３０２は、送信機３１２と受信機３１４とを含む。さらに、１つの非限定的な例として、受信機３１４は、レイク受信機回路３１６と干渉消去エンジン（ＩＣＥ）受信機３１８とを含む。
【００３０】
すなわち、ＣＤＭＡシステムでは、多元接続を可能にするために、送信されたデータは、好適なＰＮ拡散コードを利用して拡散される。データを取り出すために、受信機は、したがって、受信した信号を逆拡散するように要求される。この目的で、ＣＤＭＡ受信機は相関受信機を利用する。すなわち、所望の信号は、送信機において使用されたのと同じ拡散コードであることが知られている内部で生成されたＰＮ拡散コードとのそれの相関に従って検出される。このようにして、異なる（理想的には、直交する）ＰＮ拡散コードで拡散された不要な干渉信号は、低い相関を有し、相関受信機によって廃棄され得る。
【００３１】
しかしながら、従来のマッチドフィルタＣＤＭＡ受信機は本質的に干渉制限(interference-limited)され、受信機がそれに適応することができる限られた数の干渉信号がある。状況を改善するために、様々なマルチユーザ検出技法が、ＣＤＭＡ受信機用にそのような多元接続干渉をなくすために開発された。たとえば、様々な線形等化器および減算的干渉消去（ＩＣ）受信機が、マルチユーザ検出のための設計されてきた。線形等化器のいくつかの例は、ゼロフォーシング（ＺＦ）または無相関化検出器、および最小平均矩形（ＭＭＳＥ：minimum mean square）検出器を含む。一方、ＩＣ受信機は、概して、多元接続干渉の推定値を作成し、受信した信号からその推定値を減算する。本開示の一態様では、干渉消去エンジン３１８は、そのようなＩＣ受信機をとして機能し得る。
【００３２】
異なるＰＮコードを使用した送信によって生成されるマルチユーザ干渉に加えて、ワイヤレスチャネルは、同じ送信信号が、異なる長さの２つ以上の経路をたどった後に受信機に達するマルチパスフェージングを示すことがある。たとえば、信号の直接経路構成要素が、山岳または建築物から反射した信号の別の構成要素の直前に受信機に到着し得る。場合によっては、多くの異なる経路が存在することがあり、経時的に受信される信号のスミアリングが生じ、相対的に高い干渉レベルを事実上引き起こす。さらに、受信機が複数の受信アンテナを含むとき、同様の問題が生じ得る。マルチパスに対処するために、複数の相関受信機が使用され得、各相関受信機(correlation receiver)（「フィンガー(finger)」）は、異なる経路／アンテナの各々からのエネルギーを復元するためにチューニングされ得る。複数の相関受信機のこの使用は、レイク受信機(Rake receiver)と呼ばれる。本開示の一態様では、レイク受信機回路３１６は、そのようなレイク受信機をとして機能し得る。
【００３３】
いくつかの例では、レイク受信機３１６は、概して、低ＳＩＮＲチャネル、または高度分散チャネル状態(highly dispersive channel conditions)においてより好ましいことがある。一方、ＩＣＥ受信機３１８は、概して、中〜高ＳＩＮＲチャネルにおいて、または、相対的に多数のセクタがアクセス端末のためのアクティブセットであるとき、より好ましいことがある。
【００３４】
記憶媒体３０４は、プロセッサ実行可能コードまたは命令（たとえば、ソフトウェア、ファームウェア）などのプログラミング、電子データ、データベース、あるいは他のデジタル情報を記憶するための１つまたは複数のコンピュータ可読、機械可読、および／またはプロセッサ可読デバイスを表し得る。記憶媒体３０４はまた、プログラミングを実行するときに、処理回路３０６によって操作されるデータを記憶するために使用され得る。記憶媒体３０４は、汎用または専用プロセッサによってアクセスされ得る任意の利用可能な媒体であり得、ポータブルまたは固定記憶装置、光ストレージデバイス、および記憶し、搬送し、プログラミングすることが可能な様々な他の媒体を含む。限定ではなく例として、記憶媒体３０４は、磁気ストレージデバイス（たとえば、ハードディスク、フロッピー（登録商標）ディスク、磁気ストリップ）、光記憶媒体（たとえば、コンパクトディスク（ＣＤ）、デジタル多用途ディスク（ＤＶＤ）、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、および／またはプログラミングを記憶するための他の媒体などのコンピュータ可読、機械可読および／またはプロセッサ可読記憶媒体、ならびに任意のそれらの組合せを含み得る。
【００３５】
記憶媒体３０４は、処理回路３０６が記憶媒体３０４から情報を読み取り、記憶媒体３０４に情報を書き込むことができるように処理回路３０６に結合され得る。すなわち、記憶媒体３０４は、記憶媒体３０４が少なくとも処理回路３０６によってアクセス可能であるように処理回路３０６に結合され得、少なくとも１つの記憶媒体が処理回路３０６と一体である例、および／または少なくとも１つの記憶媒体が処理回路３０６とは別個である（たとえば、アクセス端末１０４に常駐する、アクセス端末１０４の外部にある、複数のエンティティ上に分散される）例を含む。
【００３６】
記憶媒体３０４によって記憶されたプログラミングは、処理回路３０６によって実行されたとき、本明細書で説明される様々な機能および／またはプロセスステップのうちの１つまたは複数を処理回路３０６に実行させる。たとえば、記憶媒体３０４は、処理回路３０６の１つまたは複数のハードウェアブロックにおける動作を調整するため、および／または、以下でさらに詳細に説明するように、受信機３１４を利用するときに一連の動作を調整するために適応された受信機選択動作３２０を含め得る。受信機選択動作３２０は、以下でさらに詳細に説明するように、１つまたは複数の好適な基準に従ったレイク受信機回路３１６とＩＣＥ回路３１８との間での選択のために適応された図２に示されたプロトコルスタックアーキテクチャのレイヤ１において実装されるプログラミングを含め得る。
【００３７】
処理回路３０８は、概して、記憶媒体３０４に記憶されたそのようなプログラミングの実行を含む処理のために適応される。本明細書で使用する「プログラミング」という用語は、限定はしないが、ソフトウェア、ファームウェア、ミドルウェア、マイクロコード、ハードウェア記述言語などの名称にかかわらず、命令、命令セット、データ、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００３８】
処理回路３０８は、データを取得し、処理しおよび／または送り、データアクセスおよび記憶を制御し、コマンドを発行し、他の所望の動作を制御するように構成される。処理回路３０８は、少なくとも１つの例において、適切な媒体によって与えられた所望のプログラミングを実装するように構成された回路を含み得る。たとえば、処理回路３０８は、１つまたは複数のプロセッサ、１つまたは複数のコントローラ、および／または実行可能プログラミングを実行するように構成された他の構造として実装され得る。処理回路３０８の例は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいは本明細書で説明する機能を実行するように設計されたそれらの任意の組合せを含み得る。汎用プロセッサは、マイクロプロセッサ、ならびに任意の従来のプロセッサ、コントローラ、マイクロコントローラ、または状態機械を含め得る。処理回路３０８はまた、ＤＳＰとマイクロプロセッサとの組合せ、いくつかのマイクロプロセッサ、ＤＳＰコアと連携する１つまたは複数のマイクロプロセッサ、ＡＳＩＣとマイクロプロセッサ、あるいは任意の他の数の様々な構成など、コンピューティング構成要素の組合せとして実装され得る。処理回路３０６のこれらの例は説明のためであり、本開示の範囲内の他の好適な構成も企図される。
【００３９】
本開示の１つまたは複数の態様によれば、処理回路３０６は、本明細書で説明されるアクセス端末１０４のいずれかまたはすべてについての特徴、プロセス、機能、ステップおよび／またはルーチンのいずれかまたはすべてを実行するように適応され得る。本明細書で使用する、処理回路３０６に関する「適応される」という用語は、本明細書で説明される様々な特徴に従って、処理回路３０６が、特定のプロセス、機能、ステップおよび／またはルーチンを実行するように構成、採用、実装、および／またはプログラムされることのうちの１つまたは複数を指すことがある。
【００４０】
アクセス端末１０４の少なくとも１つの例によれば、処理回路３０６は、以下でさらに詳細に説明するように、１つまたは複数の基準に従ったレイク受信機回路３１６とＩＣＥ回路３１８との間での選択のために適応された受信機選択回路３２２を含み得る。受信機選択回路３２２は、記憶媒体３０４の１つまたは複数の構成要素とは無関係に動作し得、または記憶媒体３０４の１つまたは複数の構成要素上に記憶されたプログラミングを利用し得る。
【００４１】
すなわち、２つ以上のタイプの受信機を有するいくつかのモバイルデバイスでは、任意の特定の時間（たとえば、特定のタイムスロット中）において、ただ１つのタイプの受信機（たとえば、レイク受信機回路３１６またはＩＣＥ回路３１８）が使用され得る。他のデバイスでは、それが所与の瞬間において２つ以上のタイプの受信機を利用することが可能である場合でも、任意の好適な理由のために一方または他方の受信機回路を選択することが望まれることがある。したがって、本開示の様々な態様によれば、１つまたは複数のファクタまたはパラメータに従って第１の受信機と第２の受信機との間で選択するために、デバイス選択アルゴリズム（ＤＳＡ）が利用され得る。特定の受信機を選択するために好適なパラメータを使用することによって、アクセス端末１０４の受信性能は、本質的に、すべてのシナリオ中で２つの受信機のうちのより良好な方の性能に等しくなり得る。
【００４２】
本開示の様々な態様では、１つまたは複数のファクタが、第１の受信機と第２の受信機との間（たとえば、レイク受信機３１６とＩＣＥ受信機３１８との間）で選択するためにアクセス端末１０４によって利用され得る。たとえば、アクセス端末１０４は、レイク受信機回路３１６とＩＣＥ受信機回路３１８との一方または両方によって検出された平均信号対干渉雑音比（ＳＩＮＲ）に少なくとも部分的に基づいて受信機を選択し得る。
【００４３】
ここで、受信機回路についての平均ＳＩＮＲの計算は、任意の好適なウィンドウに基づき、たとえば、１つまたは複数のスロットにわたって判断され、または別の例では、現在スロットのハーフスロットと前のスロットのハーフスロットとに基づき得る。
【００４４】
本開示のさらなる態様では、受信機間で選択するためにチャネルの分散が利用され得る。ここで、チャネルがより分散的である場合、これはマルチパスチャネルで受信される信号エネルギーのピークが相対的に大きい量だけ分離されることを意味する。１つの非限定的な例では、総受信信号エネルギーの約５％よりも多くが受信信号エネルギーの重心から６チップよりも多く離れていることがわかった場合、チャネルは分散チャネルとして特徴づけられ得る。このシナリオでは、上記で説明したように、レイク受信機回路３１６はそのようなマルチパスフェージングを緩和するように構成されるので、レイク受信機回路３１６は、ＩＣＥ受信機３１８よりも好ましくあり得る。したがって、アクセス端末１０４は、チャネルの分散を定量化するメトリックを判断するように構成され得、このメトリックが、理論的にまたは実験的に判断され得るいくつかの好適なしきい値よりも大きい場合、チャネルは分散チャネルと考えられ得る。
【００４５】
本開示のさらなる態様では、チャネルのいくつかのフラットネスメトリックが計算され得る。ここで、フラットネスメトリックは、サービングセクタのチャネル推定値に基づき得、適切にＦＩＲフィルタを通してフィルタ処理された最小周波数ビンチャネル応答エネルギーと平均周波数ビンチャネル応答エネルギーとの間の比に基づいて計算される。フラットネスメトリックが高い場合、チャネルはフラットチャネルとして特徴づけられ、メトリックが低い場合、チャネルはフラットチャネルではないとして特徴づけられ得る。ここで、フラットではないとは、概して、チャネル中にいくらかの周波数選択性があることを意味する。概して、非フラットチャネルの場合、ＩＣＥ受信機３１８が選好される。
【００４６】
本開示のさらなる態様では、レイク受信機回路３１６におけるロックされたフィンガーの数が、レイク受信機回路３１６を選択すべきかどうかを判断するために利用され得る。
【００４７】
本開示のまた別の態様では、アクセス端末のアクティブセットのサイズが、受信機を選択する際のファクタとして利用され得る。すなわち、アクセス端末のアクティブセット中のセル／セクタの数が相対的に大きい場合、ＩＣＥ受信機３１８は全体的な受信性能に利益を与え得る。
【００４８】
図４は、ワイヤレス通信ネットワークにおいて使用すべき受信機を選択するための、アクセス端末１０４などのアクセス端末上で動作可能な方法の単純な例を示すフローチャートである。図４のフローチャートとともに図３のブロック図を参照すると、アクセス端末１０４は、１つまたは複数のファクタに従って第１の受信機と第２の受信機と（たとえば、レイク受信機３１６とＩＣＥ受信機３１８と）の間で選択し得る。すなわち、ステップ４０２において、アクセス端末１０４は、第１の受信機および第２の受信機の平均ＳＩＮＲ、ダウンリンクチャネルの分散、フラットネスメトリック、第１または第２の受信機におけるロックされたフィンガーの数、またはアクセス端末１０４のためのアクティブセットのサイズのうちの１つまたは複数を判断し得る。
【００４９】
ステップ４０４において、アクセス端末１０４は、ステップ４０２において利用されたファクタが、レイク受信機回路３１６またはＩＣＥ回路３１８の使用を選好するかどうかを判断する。レイク受信機３１６が選好された場合、次いで、プロセスはステップ４０６に進み、アクセス端末１０４はレイク受信機３１６を選択し、ＩＣＥ受信機３１８が選好された場合、プロセスはステップ４０８に進み、アクセス端末１０４はＩＣＥ受信機３１８を選択する。
【００５０】
図５は、ワイヤレス通信ネットワークにおいて使用すべき受信機を選択するための、アクセス端末１０４などのアクセス端末上で動作可能な方法の別の例を示すフローチャートである。図５のフローチャートとともに図３のブロック図を参照すると、アクセス端末１０４は、１つまたは複数のファクタに従って第１の受信機と第２の受信機と（たとえば、レイク受信機３１６とＩＣＥ受信機３１８と）の間で選択し得る。たとえば、ステップ５０２において、アクセス端末１０４は、（たとえば、任意の好適なウィンドウにわたって判断される）ＩＣＥ受信機３１８の平均ＳＩＮＲが、−４ｄＢなどの好適なしきい値よりも小さいかどうか、およびアクセス端末１０４のためのアクティブセットのサイズが１に等しいかどうかを判断する。すなわち、レイク受信機３１６は、低ＳＩＮＲレジームにおいてＩＣＥ受信機３１８よりも優れ得る。さらに、アクティブセットサイズが１セクタに等しいとき、ＩＣＥ受信機３１８は、より大きいアクティブセットの場合に利用可能であり得る利得を与え得ない。したがって、ステップ５０２においてテストされたこれらの条件の両方が当てはまる場合、次いで、アクセス端末１０４はレイク受信機３１６を選択し、当てはまらない場合、プロセスはステップ５０４に進み得る。
【００５１】
ステップ５０４において、アクセス端末１０４は、上記で説明したように、チャネルが分散チャネルであるかどうかを判断する。チャネルが分散チャネルである場合、プロセスはステップ５０６に進み得、アクセス端末１０４は、（たとえば、任意の好適なウィンドウにわたって判断される）ＩＣＥ受信機３１８についての平均ＳＩＮＲが、（たとえば、ＩＣＥ受信機３１８の平均ＳＩＮＲの判断のために利用されたものと同じウィンドウであってもなくてもよい、好適なウィンドウにわたって判断される）レイク受信機３１６の平均ＳＩＮＲよりも大きいかどうか、およびアクセス端末１０４のためのアクティブセットのサイズが１に等しいかどうかを判断する。これらの条件の両方が当てはまる場合、アクセス端末１０４はＩＣＥ受信機３１８を選択し得、当てはまらない場合、アクセス端末１０４はレイク受信機３１６を選択し得る。すなわち、
ステップ５０４に戻ると、アクセス端末１０４がチャネルは分散チャネルでないと判断した場合、プロセスはステップ５０８に進み得る。ステップ５０８において、アクセス端末１０４は、上記で説明したように、レイク受信機３１８のロックされたフィンガーの数が１に等しいどうか、およびチャネルがフラットチャネルであるかどうかを判断する。これらの条件の両方が当てはまらない場合、アクセス端末１０４はＩＣＥ受信機３１８を選択する。一方、これらの条件の両方が当てはまる場合、プロセスはステップ５１０に進み得る。
【００５２】
ここで、受信機間の選択は、概して、ＳＩＮＲしきい値に基づき、使用されるＳＩＮＲしきい値はアクセス端末１０４のためのアクティブセットのサイズに依存する。すなわち、アクティブセットが１セクタに等しい場合、１つのしきい値が使用され、アクティブセットが１セクタよりも大きい場合、異なるしきい値が使用される。すなわち、ステップ５１０において、アクセス端末１０４は、アクセス端末１０４のためのアクティブセットのサイズが１よりも大きいかどうかを判断する。いいえの場合、プロセスはステップ５１２に進み得、アクセス端末１０４は、（たとえば、任意の好適なウィンドウにわたって判断される）ＩＣＥ受信機３１８についての平均ＳＩＮＲが、６ｄＢなどの好適なしきい値よりも小さいがどうかを決定する。ＩＣＥ  ＳＩＮＲがしきい値以上である場合、アクセス端末１０４はＩＣＥ受信機３１８を選択し得るが、ＩＣＥ  ＳＩＮＲがしきい値よりも小さい場合、アクセス端末１０４はレイク受信機３１６を選択し得る。
【００５３】
ステップ５１０に戻ると、アクセス端末１０４のためのアクティブセットのサイズが１よりも大きい場合、プロセスはステップ５１４に進み得、アクセス端末１０４は、（たとえば、任意の好適なウィンドウにわたって判断される）ＩＣＥ受信機３１８についての平均ＳＩＮＲが、１．７ｄＢなどの好適なしきい値よりも小さいがどうかを決定する。はいの場合、次いで、アクセス端末１０４はレイク受信機３１６を選択し得るが、いいえの場合、アクセス端末１０４はＩＣＥ受信機３１８を選択し得る。
【００５４】
上記で説明した態様、配置、および実施形態は具体的な詳細および特殊性とともに説明したが、図１、図２、および／または図３に示した構成要素、ステップ、特徴および／または機能のうちの１つまたは複数は、単一の構成要素、ステップ、特徴または機能に再構成されおよび／または組み合わせられるか、あるいはいくつかの構成要素、ステップ、または機能で実施され得る。また、本発明から逸脱することなく追加の要素、構成要素、ステップ、および／または機能が追加または利用され得る。図１、図２、および／または図３に示した装置、デバイス、および／または構成要素は、図４および／または図５で説明した方法、特徴、パラメータ、またはステップのうちの１つまたは複数を実行または採用するように構成され得る。本明細書で説明する新規のアルゴリズムはまた、効率的にソフトウェアで実装されおよび／またはハードウェアに組み込まれ得る。
【００５５】
また、少なくともいくつかの実装形態について、フローチャート、流れ図、構造図、またはブロック図として示されたプロセスとして説明したことに留意されたい。フローチャートは動作を逐次プロセスとして説明することがあるが、動作の多くは並行してまたは同時に実行され得る。さらに、動作の順序は並び替えられ得る。プロセスは、その動作が完了すると終了する。プロセスは、メソッド、関数、プロシージャ、サブルーチン、サブプログラムなどに対応し得る。プロセスが関数に対応する場合、その終了は呼出し側関数またはメイン関数への関数の復帰に対応する。本明細書で説明する様々な方法は、機械可読、コンピュータ可読、および／またはプロセッサ可読記憶媒体に記憶され、１つまたは複数のプロセッサ、機械および／またはデバイスによって実行され得る（たとえば、命令および／またはデータ）によって部分的にまたは完全に実装され得る。
【００５６】
さらに、本明細書で開示する実施形態に関連して説明した様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることを、当業者は諒解されよう。この互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。
【００５７】
本明細書で説明する添付の図面に示した例に関連する様々な特徴は、本開示の範囲から逸脱することなく、異なる例および実装形態に実装され得る。したがって、ある特定の構成および配置について説明し、添付の図面に示したが、説明した実施形態への様々な他の追加、変更、および削除は当業者には明らかであるので、そのような実施形態は例示的にすぎず、開示の範囲を限定するものではない。したがって、本開示の範囲は、以下の請求項の文字通りの言語および法的均等物によってのみ決定される。
以下に、本願出願の当初の特許請求の範囲に記載された発明を付記する。
［Ｃ１］  ワイヤレス通信デバイスにおいて第１の受信機と第２の受信機との間で選択する方法であって、
前記第１の受信機または前記第２の受信機のうちの少なくとも１つに対応する平均ＳＩＮＲ、ダウンリンクチャネルの分散、フラットネスメトリック、前記第１の受信機または前記第２の受信機におけるロックされたフィンガーの数、またはアクティブセットのサイズのうちの１つまたは複数を判断することと、
前記判断に従って前記第１の受信機または前記第２の受信機のうちの１つを選択することと
を備える、方法。
［Ｃ２］  前記第１の受信機がレイク受信機を備え、前記第２の受信機が干渉消去エンジンを備える、Ｃ１に記載の方法。
［Ｃ３］  前記干渉消去エンジンに対応する前記平均ＳＩＮＲがしきい値よりも小さいと判断することと、
前記ワイヤレス通信デバイスのための前記アクティブセットの前記サイズが１セクタに等しいと判断することと
をさらに備え、
前記第１の受信機または前記第２の受信機を前記選択することが、前記レイク受信機を選択することを備える、
Ｃ２に記載の方法。
［Ｃ４］  前記ダウンリンクチャネルが分散チャネルであると判断することと、
前記干渉消去エンジンに対応する前記平均ＳＩＮＲが、前記レイク受信機に対応する前記平均ＳＩＮＲよりも大きいと判断することと、
前記ワイヤレス通信デバイスのための前記アクティブセットの前記サイズが１セクタに等しいと判断することと
をさらに備え、
前記第１の受信機または前記第２の受信機を前記選択することが、前記干渉消去エンジンを選択することを備える、
Ｃ２に記載の方法。
［Ｃ５］  前記ダウンリンクチャネルが分散チャネルであると判断することと、
前記干渉消去に対応する前記平均ＳＩＮＲが、前記レイク受信機に対応する前記平均ＳＩＮＲよりも大きくないこと、または前記ワイヤレス通信デバイスのための前記アクティブセットの前記サイズが１セクタに等しくないことのうちの少なくとも１つを判断することと
をさらに備え、
前記第１の受信機または前記第２の受信機を前記選択することが、前記レイク受信機を選択することを備える、
Ｃ２に記載の方法。
［Ｃ６］  前記ダウンリンクチャネルが分散チャネルでないと判断することと、
前記レイク受信機におけるロックされたフィンガーの前記数が１に等しくないこと、または前記ダウンリンクチャネルがフラットチャネルでないことを前記フラットネスメトリックが示していることのうちの少なくとも１つを判断することと
をさらに備え、
前記第１の受信機または前記第２の受信機を前記選択することが、前記干渉消去エンジンを選択することを備える、
Ｃ２に記載の方法。
［Ｃ７］  前記ダウンリンクチャネルが分散チャネルでないと判断することと、
前記レイク受信機におけるロックされたフィンガーの前記数が１に等しいと判断することと、
前記ダウンリンクチャネルがフラットチャネルであることを前記フラットネスメトリックが示していると判断することと
をさらに備える、Ｃ２に記載の方法。
［Ｃ８］  前記ワイヤレス通信デバイスのための前記アクティブセットが１セクタよりも大きくないと判断することと、
前記干渉消去エンジンに対応する前記平均ＳＩＮＲがしきい値よりも小さいと判断することと
をさらに備え、
前記第１の受信機または前記第２の受信機を前記選択することが、前記レイク受信機を選択することを備える、
Ｃ７に記載の方法。
［Ｃ９］  前記ワイヤレス通信デバイスのための前記アクティブセットが１セクタよりも大きくないと判断することと、
前記干渉消去エンジンに対応する前記平均ＳＩＮＲがしきい値以上であると判断することと
をさらに備え、
前記第１の受信機または前記第２の受信機を前記選択することが、前記干渉消去エンジンを選択することを備える、
Ｃ７に記載の方法。
［Ｃ１０］  前記ワイヤレス通信デバイスのための前記アクティブセットが１セクタよりも大きいと判断することと、
前記干渉消去エンジンに対応する前記平均ＳＩＮＲがしきい値よりも小さいと判断することと
をさらに備え、
前記第１の受信機または前記第２の受信機を前記選択することが、前記レイク受信機を選択することを備える、
Ｃ７に記載の方法。
［Ｃ１１］  前記ワイヤレス通信デバイスのための前記アクティブセットが１セクタよりも大きいと判断することと、
前記干渉消去エンジンに対応する前記平均ＳＩＮＲがしきい値以上であると判断することと
をさらに備え、
前記第１の受信機または前記第２の受信機を前記選択することが、前記干渉消去エンジンを選択することを備える、
Ｃ７に記載の方法。
［Ｃ１２］  データを受信する際に使用するワイヤレス通信デバイスであって、前記デバイスが、
第１の受信機と、
第２の受信機と、
前記第１の受信機および前記第２の受信機に動作可能に結合されたプロセッサであって、第１の受信機または第２の受信機のうちの少なくとも１つの平均ＳＩＮＲ、ダウンリンクチャネルの分散、フラットネスメトリック、第１の受信機または第２の受信機におけるロックされたフィンガーの数、またはアクティブセットのサイズのうちの１つまたは複数に従って第１の受信機または第２の受信機のうちの１つを選択するように構成された、プロセッサと
を備える、デバイス。
［Ｃ１３］  前記第１の受信機がレイク受信機を備え、前記第２の受信機が干渉消去エンジンを備える、Ｃ３に記載のワイヤレス通信デバイス。
［Ｃ１４］  前記プロセッサは、
前記干渉消去エンジンに対応する前記平均ＳＩＮＲがしきい値よりも小さいと判断することと、
前記ワイヤレス通信デバイスのための前記アクティブセットの前記サイズが１セクタに等しいと判断することと
を行うようにさらに構成され、
前記第１の受信機または前記第２の受信機を選択するように構成された前記プロセッサが、前記レイク受信機を選択するように構成された、
Ｃ１３に記載のワイヤレス通信デバイス。
［Ｃ１５］  前記プロセッサは、
前記ダウンリンクチャネルが分散チャネルであると判断することと、
前記干渉消去エンジンに対応する前記平均ＳＩＮＲが、前記レイク受信機に対応する前記平均ＳＩＮＲよりも大きいと判断することと、
前記ワイヤレス通信デバイスのための前記アクティブセットの前記サイズが１セクタに等しいと判断することと
を行うようにさらに構成され、
前記第１の受信機または前記第２の受信機を選択するように構成された前記プロセッサが、前記干渉消去エンジンを選択するように構成された、
Ｃ１３に記載のワイヤレス通信デバイス。
［Ｃ１６］  前記プロセッサは、
前記ダウンリンクチャネルが分散チャネルであると判断することと、
前記干渉消去に対応する前記平均ＳＩＮＲが、前記レイク受信機に対応する前記平均ＳＩＮＲよりも大きくないこと、または前記ワイヤレス通信デバイスのための前記アクティブセットの前記サイズが１セクタに等しくないことのうちの少なくとも１つを判断することと
を行うようにさらに構成され、
前記第１の受信機または前記第２の受信機を選択するように構成された前記プロセッサが、前記レイク受信機を選択するように構成された、
Ｃ１３に記載のワイヤレス通信デバイス。
［Ｃ１７］  前記プロセッサは、
前記ダウンリンクチャネルが分散チャネルでないと判断することと、
前記レイク受信機におけるロックされたフィンガーの前記数が１に等しくないこと、または前記ダウンリンクチャネルがフラットチャネルでないことを前記フラットネスメトリックが示していることのうちの少なくとも１つを判断することと
を行うようにさらに構成され、
前記第１の受信機または前記第２の受信機を前記選択することが、前記干渉消去エンジンを選択することを備える、
Ｃ１３に記載のワイヤレス通信デバイス。
［Ｃ１８］  前記プロセッサは、
前記ダウンリンクチャネルが分散チャネルでないと判断することと、
前記レイク受信機におけるロックされたフィンガーの前記数が１に等しいと判断することと、
前記ダウンリンクチャネルがフラットチャネルであることを前記フラットネスメトリックが示していると判断することと
を行うようにさらに構成された、Ｃ１３に記載のワイヤレス通信デバイス。
［Ｃ１９］  前記プロセッサは、
前記ワイヤレス通信デバイのための前記アクティブセットが１セクタよりも大きくないと判断することと、
前記干渉消去エンジンに対応する前記平均ＳＩＮＲがしきい値よりも小さいと判断することと
を行うようにさらに構成され、
前記第１の受信機または前記第２の受信機を選択するように構成された前記プロセッサが、前記レイク受信機を選択するように構成された、
Ｃ１８に記載のワイヤレス通信デバイス。
［Ｃ２０］  前記プロセッサは、
前記ワイヤレス通信デバイスのための前記アクティブセットが１セクタよりも大きくないと判断することと、
前記干渉消去エンジンに対応する前記平均ＳＩＮＲがしきい値以上である判断することと
を行うようにさらに構成され、
前記第１の受信機または前記第２の受信機を選択するように構成された前記プロセッサが、前記干渉消去エンジンを選択するように構成された、
Ｃ１８に記載のワイヤレス通信デバイス。
［Ｃ２１］  前記プロセッサは、
前記ワイヤレス通信デバイスのための前記アクティブセットが１セクタよりも大きいと判断することと、
前記干渉消去エンジンに対応する前記平均ＳＩＮＲがしきい値よりも小さいと判断することと
を行うようにさらに構成され、
前記第１の受信機または前記第２の受信機を選択するように構成された前記プロセッサが、前記レイク受信機を選択するように構成された、
Ｃ１８に記載のワイヤレス通信デバイス。
［Ｃ２２］  前記プロセッサは、
前記ワイヤレス通信デバイスのための前記アクティブセットが１セクタよりも大きいと判断することと、
前記干渉消去エンジンに対応する前記平均ＳＩＮＲがしきい値以上であると判断することと
を行うようにさらに構成され、
前記第１の受信機または前記第２の受信機を選択するように構成された前記プロセッサが、前記干渉消去エンジンを選択するように構成された、
Ｃ１８に記載のワイヤレス通信デバイス。
［Ｃ２３］  データを受信する際に使用するワイヤレス通信デバイスであって、
ダウンリンクチャネルを受信するための第１の受信手段と第２の受信手段と、
前記第１の受信手段または前記第２の受信手段のうちの少なくとも１つに対応する平均ＳＩＮＲ、前記ダウンリンクチャネルの分散、フラットネスメトリック、前記第１の受信手段または前記第２の受信手段におけるロックされたフィンガーの数、またはアクティブセットのサイズのうちの１つまたは複数を判断するための手段と、
前記判断に従って前記第１の受信手段または前記第２の受信手段のうちの１つを選択するための手段と
を備える、デバイス。
［Ｃ２４］  前記第１の受信手段がレイク受信機を備え、前記第２の受信手段が干渉消去エンジンを備える、Ｃ２３に記載のワイヤレス通信デバイス。
［Ｃ２５］  前記干渉消去エンジンに対応する前記平均ＳＩＮＲがしきい値よりも小さいと判断するための手段と、
前記ワイヤレス通信デバイスのための前記アクティブセットの前記サイズが１セクタに等しいと判断するための手段と
をさらに備え、
前記第１の受信手段または前記第２の受信手段を選択するための前記手段が、前記レイク受信機を選択するように構成された、
Ｃ２４に記載のワイヤレス通信デバイス。
［Ｃ２６］  前記ダウンリンクチャネルが分散チャネルであると判断するための手段と、
前記干渉消去エンジンに対応する前記平均ＳＩＮＲが、前記レイク受信機に対応する前記平均ＳＩＮＲよりも大きいと判断するための手段と、
前記ワイヤレス通信デバイスのための前記アクティブセットの前記サイズが１セクタに等しいと判断するための手段と
をさらに備え、
前記第１の受信手段または前記第２の受信手段を選択するための前記手段が、前記干渉消去エンジンを選択するように構成された、
Ｃ２４に記載のワイヤレス通信デバイス。
［Ｃ２７］  前記ダウンリンクチャネルが分散チャネルであると判断するための手段と、
前記干渉消去に対応する前記平均ＳＩＮＲが、前記レイク受信機に対応する前記平均ＳＩＮＲよりも大きくないこと、または前記ワイヤレス通信デバイスのための前記アクティブセットの前記サイズが１セクタに等しくないことのうちの少なくとも１つを判断するための手段と
をさらに備え、
前記第１の受信手段または前記第２の受信手段を選択するための前記手段が、前記レイク受信機を選択するように構成された、
Ｃ２４に記載のワイヤレス通信デバイス。
［Ｃ２８］  前記ダウンリンクチャネルが分散チャネルでないと判断するための手段と、
前記レイク受信機におけるロックされたフィンガーの前記数が１に等しくないこと、または前記ダウンリンクチャネルがフラットチャネルでないことを前記フラットネスメトリックが示していることのうちの少なくとも１つを判断するための手段と
をさらに備え、
前記第１の受信手段または前記第２の受信手段を選択するための前記手段が、前記干渉消去エンジンを選択するように構成された、
Ｃ２４に記載のワイヤレス通信デバイス。
［Ｃ２９］  前記ダウンリンクチャネルが分散チャネルでないと判断するための手段と、
前記レイク受信機におけるロックされたフィンガーの前記数が１に等しいと判断するための手段と、
前記ダウンリンクチャネルがフラットチャネルであることを前記フラットネスメトリックが示していると判断するための手段と
をさらに備える、Ｃ２４に記載のワイヤレス通信デバイス。
［Ｃ３０］  前記ワイヤレス通信デバイスのための前記アクティブセットが１セクタよりも大きくないと判断するための手段と、
前記干渉消去エンジンに対応する前記平均ＳＩＮＲがしきい値よりも小さいと判断するための手段と
をさらに備え、
前記第１の受信手段または前記第２の受信手段を選択するための前記手段が、前記レイク受信機を選択するように構成された、
Ｃ２９に記載のワイヤレス通信デバイス。
［Ｃ３１］  前記ワイヤレス通信デバイスのための前記アクティブセットが１セクタよりも大きくないと判断するための手段と、
前記干渉消去エンジンに対応する前記平均ＳＩＮＲがしきい値以上であると判断するための手段と
をさらに備え、
前記第１の受信手段または前記第２の受信手段を選択するための前記手段が、前記干渉消去エンジンを選択するように構成された、
Ｃ２９に記載のワイヤレス通信デバイス。
［Ｃ３２］  前記ワイヤレス通信デバイスのための前記アクティブセットの前記サイズが１セクタよりも大きいと判断するための手段と、
前記干渉消去エンジンに対応する前記平均ＳＩＮＲがしきい値よりも小さいと判断するための手段と
をさらに備え、
前記第１の受信手段または前記第２の受信手段を選択するための前記手段が、前記レイク受信機を選択するように構成された、
Ｃ２９に記載のワイヤレス通信デバイス。
［Ｃ３３］  前記ワイヤレス通信デバイスのための前記アクティブセットが１セクタよりも大きいと判断するための手段と、
前記干渉消去エンジンに対応する前記平均ＳＩＮＲがしきい値以上であると判断するための手段と
をさらに備え、
前記第１の受信手段または前記第２の受信手段を選択するための前記手段が、前記干渉消去エンジンを選択するように構成された、
Ｃ２９に記載のワイヤレス通信デバイス。
［Ｃ３４］  第１の受信機または第２の受信機のうちの少なくとも１つに対応する平均ＳＩＮＲ、ダウンリンクチャネルの分散、フラットネスメトリック、第１または第２の受信機におけるロックされたフィンガーの数、またはアクティブセットのサイズうちの１つを判断することと、
前記判断に従って前記第１の受信機または前記第２の受信機のうちの１つを選択することと
をコンピュータに行わせるための命令を備える、ワイヤレス通信デバイスにおいて動作可能なコンピュータ可読記憶媒体
を備える、コンピュータプログラム製品。
［Ｃ３５］  前記第１の受信機がレイク受信機を備え、前記第２の受信機が干渉消去エンジンを備える、Ｃ３４に記載のコンピュータプログラム製品。
［Ｃ３６］  前記コンピュータ可読媒体は、
前記干渉消去エンジンに対応する前記平均ＳＩＮＲがしきい値よりも小さいと判断することと、
前記ワイヤレス通信デバイスのための前記アクティブセットの前記サイズが１セクタに等しいと判断することと
をコンピュータに行わせるための命令をさらに備え、
コンピュータに前記第１の受信機または前記第２の受信機を選択させるための前記命令が、前記レイク受信機を選択するように構成された、
Ｃ３５に記載のコンピュータプログラム製品。
［Ｃ３７］  前記コンピュータ可読媒体は、
前記ダウンリンクチャネルが分散チャネルであると判断することと、
前記干渉消去エンジンに対応する前記平均ＳＩＮＲが、前記レイク受信機に対応する前記平均ＳＩＮＲよりも大きいと判断することと、
前記ワイヤレス通信デバイスのための前記アクティブセットの前記サイズが１セクタに等しいと判断することと
をコンピュータに行わせるための命令をさらに備え、
コンピュータに前記第１の受信機または前記第２の受信機を選択させるための前記命令が、前記干渉消去エンジンを選択するように構成された、
Ｃ３５に記載のコンピュータプログラム製品。
［Ｃ３８］  前記コンピュータ可読媒体は、
前記ダウンリンクチャネルが分散チャネルであると判断することと、
前記干渉消去に対応する前記平均ＳＩＮＲが、前記レイク受信機に対応する前記平均ＳＩＮＲよりも大きくないこと、または前記ワイヤレス通信デバイスのための前記アクティブセットの前記サイズが１セクタに等しくないことのうちの少なくとも１つを判断することと
をコンピュータに行わせるための命令をさらに備え、
コンピュータに前記第１の受信機または前記第２の受信機を選択させるための前記命令が、前記レイク受信機を選択するように構成された、
Ｃ３５に記載のコンピュータプログラム製品。
［Ｃ３９］  前記コンピュータ可読媒体は、
前記ダウンリンクチャネルが分散チャネルでないと判断することと、
前記レイク受信機におけるロックされたフィンガーの前記数が１に等しくないこと、または前記ダウンリンクチャネルがフラットチャネルでないことを前記フラットネスメトリックが示していることのうちの少なくとも１つを判断することと
をコンピュータに行わせるための命令をさらに備え、
コンピュータに前記第１の受信機または前記第２の受信機を選択させるための前記命令が、前記干渉消去エンジンを選択するように構成された、
Ｃ３５に記載のコンピュータプログラム製品。
［Ｃ４０］  前記コンピュータ可読媒体は、
前記ダウンリンクチャネルが分散チャネルでないと判断することと、
前記レイク受信機におけるロックされたフィンガーの前記数が１に等しいと判断することと、
前記ダウンリンクチャネルがフラットチャネルであることを前記フラットネスメトリックが示していると判断することと
をコンピュータに行わせるための命令をさらに備える、Ｃ３５に記載のコンピュータプログラム製品。
［Ｃ４１］  前記コンピュータ可読媒体は、
前記ワイヤレス通信デバイスの前記アクティブセットが１セクタよりも大きくないと判断することと、
前記干渉消去エンジンに対応する前記平均ＳＩＮＲがしきい値よりも小さいと判断することと
をコンピュータに行わせるための命令をさらに備え、
コンピュータに前記第１の受信機または前記第２の受信機を選択させるための前記命令が、前記レイク受信機を選択するように構成された、
Ｃ４０に記載のコンピュータプログラム製品。
［Ｃ４２］  前記コンピュータ可読媒体は、
前記ワイヤレス通信デバイスのための前記アクティブセットが１セクタよりも大きくないと判断することと、
前記干渉消去エンジンに対応する前記平均ＳＩＮＲがしきい値以上である判断することと
をコンピュータに行わせるための命令をさらに備え、
コンピュータに前記第１の受信機または前記第２の受信機を選択させるための前記命令が、前記干渉消去エンジンを選択するように構成された、
Ｃ４０に記載のコンピュータプログラム製品。
［Ｃ４３］  前記コンピュータ可読媒体は、
前記ワイヤレス通信デバイスのための前記アクティブセットが１セクタよりも大きいと判断することと、
前記干渉消去エンジンに対応する前記平均ＳＩＮＲがしきい値よりも小さいと判断することと
をコンピュータに行わせるための命令をさらに備え、
コンピュータに前記第１の受信機または前記第２の受信機を選択させるための前記命令が、前記レイク受信機を選択するように構成された、
Ｃ４０に記載のコンピュータプログラム製品。
［Ｃ４４］  前記コンピュータ可読媒体は、
前記ワイヤレス通信デバイスのための前記アクティブセットが１セクタよりも大きいと判断することと、
前記干渉消去エンジンに対応する前記平均ＳＩＮＲがしきい値以上であると判断することと
をコンピュータに行わせるための命令をさらに備え、
コンピュータに前記第１の受信機または前記第２の受信機を選択させるための前記命令が、前記干渉消去エンジンを選択するように構成された、
Ｃ４０に記載のコンピュータプログラム製品。
【図１】
0005882480.tif 000002
【図２】
0005882480.tif 000003
【図３】
0005882480.tif 000004
【図４】
0005882480.tif 000005
【図５】
0005882480.tif 000006